(57)【要約】【課題】自車両が加速制御される場合に、走行状態に応じて応答性の良いブレーキを実現する。【解決手段】自車速Ｖが所定の速度閾値ＶTH以下であるか、自車両が交差点及び交差点近傍の所定範囲内を走行しており、且つ追従走行制御による加速制御が行われているとき、要ブレーキ予圧発生状態であると判断し、自車速Ｖと目標車速Ｖｓ*とに基づいて算出される目標加減速度α*に応じてブレーキ予圧Ｐｐを設定し、これに応じたブレーキ圧を発生させることにより、ブレーキの応答性を向上する。【選択図】      図３
2006044554.tif 000002
【特許請求の範囲】
【請求項１】
自車両の車速を検出する自車速検出手段と、自車両前方の追従制御対象車両との車間距離を検出する車間距離検出手段と、前記車間距離が目標車間距離となるように自車両の制駆動力を制御する車速制御手段とを備えた車両用走行制御装置において、
自車両が所定の車両走行状態で、且つ前記車速制御手段により加速制御されると判定したとき、ブレーキアクチュエータを駆動制御して、運転者の制動操作に先立つ予備制動を行う予備制動発生手段を備えていることを特徴とする車両用走行制御装置。
【請求項２】
前記所定の車両走行状態は、前記自車速検出手段で検出された車速が所定車速以下の状態であることを特徴とする請求項１に記載の車両用走行制御装置。
【請求項３】
自車両の走行地点を検出する走行地点検出手段と、自車両が走行する道路情報を有する道路情報提供手段と、前記走行地点検出手段で検出した走行地点及び前記道路情報提供手段で提供される道路情報に基づいて、自車両が交差点及び交差点近傍の所定範囲を走行中であることを検出する交差点検出手段とを有し、前記所定の車両走行状態は、前記交差点検出手段で自車両が前記所定範囲を走行中であることを検出した状態であることを特徴とする請求項１又は２に記載の車両用走行制御装置。
【請求項４】
前記予備制動発生手段は、前記予備制動状態であるときに、前記自車速検出手段で検出された車速が所定車速を超えたと判定したとき、当該予備制動状態を解除することを特徴とする請求項２に記載の車両用走行制御装置。
【請求項５】
前記予備制動発生手段は、前記予備制動状態であるときに、前記交差点検出手段の検出結果に基づいて自車両が前記所定範囲外を走行中であると判定したとき、当該予備制動状態を解除することを特徴とする請求項３に記載の車両用走行制御装置。
【請求項６】
運転者によるアクセル操作を検出するアクセル操作検出手段を有し、前記予備制動発生手段は、前記予備制動状態であるときに、前記アクセル操作検出手段でアクセル操作を検出したとき、当該予備制動状態を解除することを特徴とする請求項１〜５の何れか１項に記載の車両用走行制御装置。
【請求項７】
前記予備制動発生手段は、前記予備制動状態であるときに、前記アクセル操作検出手段で急なアクセル操作を検出したとき、当該予備制動状態を維持することを特徴とする請求項６に記載の車両用走行制御装置。
【請求項８】
ステアリングホイールの操舵角を検出する操舵角検出手段を有し、前記予備制動発生手段は、前記予備制動状態であるときに、前記操舵角検出手段で急な操舵角変化を検出したとき、当該予備制動状態を維持することを特徴とする請求項４〜７の何れか１項に記載の車両用走行制御装置。
【請求項９】
前記車速制御手段は、少なくとも車間距離検出値および目標車間距離に基づいて車間距離を目標車間距離とするための目標車速を演算し、自車速検出値が前記目標車速となるように目標加減速度を算出すると共に、当該目標加減速度を実現するように制駆動力を制御し、前記予備制動発生手段は、前記目標加減速度が大きいほど大きな予備制動状態とすることを特徴とする請求項４〜８の何れか１項に記載の車両用走行制御装置。
【請求項１０】
前記予備制動発生手段は、前記車間距離検出手段で検出された車間距離が小さいほど大きな予備制動状態とすることを特徴とする請求項１〜９の何れか１項に記載の車両用走行制御装置。
【請求項１１】
前記予備制動発生手段は、前記追従制御対象車両の車速が大きいほど大きな予備制動状態とすることを特徴とする請求項１〜１０の何れか１項に記載の車両用走行制御装置。
【請求項１２】
自車両前方の道路環境の状態を検出する道路環境検出手段を有し、前記予備制動発生手段は、該道路環境検出手段で検出された道路環境に応じた大きさの予備制動状態とすることを特徴とする請求項１〜１１の何れか１項に記載の車両用走行制御装置。
【発明の詳細な説明】
【技術分野】
【０００１】
本発明は、先行車両と自車両との車間距離を目標車間距離に保ちつつ、当該先行車両に自車両を追従走行させる車両用走行制御装置に関するものである。
【背景技術】
【０００２】
従来の車両用走行制御装置としては、例えば、自車両が交差点通過時に右左折を伴う場合、交差点までの距離と直前車の速度とに基づいて、自車速を右左折に適した車速へ調整するというものが知られている（例えば、特許文献１参照）。
また、自車前方物体との相対距離が所定距離以下となるか、目標減速度が所定値を超えたときに要ブレーキ予圧状態であると判断し、運転者による加速操作が終了した時点で、減速度を感じない程度の微小のブレーキ予圧を作動させるというものが知られている（例えば、特許文献２参照）。これにより、同一車線上にない障害物を検知して自動ブレーキ制御が行われた場合には、運転者に違和感を与えることを抑制することができると共に、運転者によるブレーキ操作が行われた場合には、初期応答性の良いブレーキ制御を実現することができる。
【特許文献１】特開２００１−３０１４８４号公報
【特許文献２】特開２０００−３０９２５７号公報
【発明の開示】
【発明が解決しようとする課題】
【０００３】
ところで、走行制御によって自車両が自動的に加減速を行う場合、運転者はアクセルペダルやブレーキペダルに足を置いていないことが考えられる。そのため、自車両が加速制御されている状態において、歩行者や自転車の急な飛び出しや交差点走行時における対向車両の飛び出し等に対して、より初期応答性の良いブレーキが要求される。
しかしながら、上記特許文献１に記載の従来装置にあっては、自車両が交差点通過時に右左折を伴う場合に、自車速が適正車速となるように調整するだけであり、例えば、交差点走行時に応答性の良いブレーキを要する場合に、適切に対応することができないという未解決の課題がある。
【０００４】
また、上記特許文献２に記載の従来装置にあっては、前方物体との相対距離が小さいときなど、明らかに自車両の減速が必要であるときに、運転者のブレーキ操作に先立ってブレーキ予圧を発生させるだけであるので、例えば、自車両が先行車両に追従して加速している時に応答性の良いブレーキを要する場合には、適切に対応することができないという未解決の課題がある。
そこで、本発明は、上記従来例の未解決の課題に着目してなされたものであり、自車両が加速制御される場合に、走行状態に応じてブレーキの応答性を向上することができる車両用走行制御装置を提供することを目的としている。
【課題を解決するための手段】
【０００５】
上記目的を達成するために、本発明に係る車両用走行制御装置は、自車両が所定の車両走行状態で、且つ車速制御手段により加速制御されると判定したとき、予備制動発生手段でブレーキアクチュエータを駆動制御して、運転者の制動操作に先立つ予備制動を行う。
【発明の効果】
【０００６】
本発明によれば、追従走行制御によって自車両が加速制御されるときに減速度を感じない程度の予備制動状態とするので、運転者の意思に関係なく自車両が加速しているときに、歩行者や自転車の急な飛び出し等に遭遇した場合であっても、初期応答性の良いブレーキを実現することができる。
【発明を実施するための最良の形態】
【０００７】
以下、本発明の実施の形態を図面に基づいて説明する。
図１は本発明を後輪駆動車に適用した場合の実施形態を示す概略構成図であり、図中、１ＦＬ，１ＦＲは従動輪としての前輪、１ＲＬ，１ＲＲは駆動輪としての後輪であって、後輪１ＲＬ，１ＲＲは、エンジン２の駆動力が自動変速機３、プロペラシャフト４、最終減速装置５及び車軸６を介して伝達されて回転駆動される。
【０００８】
前輪１ＦＬ，１ＦＲ及び後輪１ＲＬ，１ＲＲには、夫々制動力を発生する例えばディスクブレーキで構成されるブレーキアクチュエータ７が設けられていると共に、これらブレーキアクチュエータ７の制動油圧が制動制御装置８によって制御される。
ここで、制動制御装置８は、図示しないブレーキペダルの踏込みに応じて制動油圧を発生すると共に、後述する走行制御用コントローラ２０からの制動圧指令値Ｐ*や制動圧指令値Ｐｐ*に応じて制動油圧を発生し、これをブレーキアクチュエータ７に出力するように構成されている。
【０００９】
また、エンジン２には、その出力を制御するエンジン出力制御装置９が設けられている。このエンジン出力制御装置９では、図示しないアクセルペダルの踏込量及び後述する走行制御用コントローラ２０からのスロットル開度指令値θ*に応じてエンジン２に設けられたスロットル開度を調整するスロットルアクチュエータ１０を制御するように構成されている。また、自動変速機３の出力側に配設された出力軸の回転速度を検出することにより、自車速Ｖを検出する車速検出手段としての車速センサ１３が配設されている。
【００１０】
一方、車両の前方側の車体下部には、自車両と先行車両との間の車間距離を検出する車間距離検出手段としての、レーザ光を掃射して先行車両からの反射光を受光するレーダ方式の車間距離センサ１４が設けられている。
また、運転席近傍には、走行制御スイッチ１５が設けられており、この走行制御スイッチ１５で車両用走行制御装置のＯＮ／ＯＦＦ切換えと設定車速ＶSETの設定とを操作するように構成されている。そして、走行制御スイッチ１５をオン状態とすることにより、追従走行制御モードで自車両の走行制御を行う。
【００１１】
また、車体には、自車両の走行位置を検出する走行地点検出手段としての全地球測位システム（ＧＰＳ：global positioning system）１６と、全地球測位システム１６から入力された自車位置データとマッチングするための道路情報を格納した、例えばカーナビゲーションシステムで構成される道路情報提供手段としての道路地図データ格納部１７が設けられている。
【００１２】
さらに、この車両には、図示しないアクセルペダルのストローク量ＳＴを検出するストロークセンサ１８、ステアリングホイールの操舵角δを検出する操舵角検出手段としての操舵角センサ１９が備えられ、これらの検出信号は走行制御用コントローラ２０に出力される。このストロークセンサ１８によってアクセル操作検出手段を構成しており、ストロークセンサ１８で検出されるストローク量ＳＴに基づいてアクセル踏込み速度Ｖａを検出できるように構成されている。
【００１３】
そして、走行制御スイッチ１７から出力されるスイッチ信号ＳＳ及び設定車速ＶSETと、車速センサ１３から出力される自車速Ｖと、車間距離センサ１４から出力される車間距離Dと、全地球測位システム１６と道路地図データ格納部１７とから出力される自車位置情報と、ストロークセンサ１８から出力されるストローク量ＳＴと、操舵角センサ１９から出力される操舵角δとが走行制御用コントローラ２０に入力され、この走行制御用コントローラ２０によって、先行車両を捕捉しているときに車間距離が目標車間距離となるように目標車速を設定して自車速を制御し、先行車両を捕捉していないときに自車速Ｖを運転者が設定した設定車速ＶSETに制御する制動圧指令値Ｐ*及び目標スロットル開度θ*を制動制御装置８及びエンジン出力制御装置９に出力する。
【００１４】
また、この走行制御用コントローラ２０よって、自車速が低速走行中又は交差点走行中であるときには、自車前方に歩行者や交差点走行時の対向車両等の割り込みが推定されるとして、運転者の制動操作に先立つ予備制動としてのブレーキ予圧Ｐｐを発生する制動圧指令値Ｐｐ*を制動制御装置８に出力する。ここで、ブレーキ予圧Ｐｐとは、乗員が減速度を感じない程度の微小のブレーキ圧をいう。
【００１５】
この走行制御用コントローラ２０はマイクロコンピュータとその周辺機器を備え、マイクロコンピュータのソフトウェア形態により、図２に示す制御ブロックを構成している。
この制御ブロックは、車間距離センサ１４から入力される車間距離Ｄに基づいて先行車両との相対速度ΔＶを演算する相対速度演算部２１と、車速センサ１３から入力される自車速Ｖに基づいて先行車両と自車両との目標車間距離Ｄ*を演算する目標車間距離演算部２２と、車間距離Ｄ及び目標車間距離演算部２２で演算された目標車間距離Ｄ*に基づいて減衰係数ζ及び固有振動数ωｎを使用する規範モデルによって車間距離Ｄを目標車間距離Ｄ*に一致させるための車間距離指令値ＤTを演算する車間距離指令値演算部２３と、車間距離Ｄ、車間距離指令値演算部２３で演算された車間距離指令値ＤT及び相対速度演算部２１で演算された相対速度ΔＶに基づいて車間距離Ｄを車間距離指令値ＤTに一致させるための目標車速Ｖ*を演算する目標車速演算部２４と、車間距離センサ１４による先行車両の検出状態、及び走行制御スイッチ１５の操作状態に応じて、目標車速演算部２４で演算された目標車速Ｖ*、又は運転者により設定される設定車速ＶSETを達成するような目標加減速度α*を演算し、この目標加減速度α*を実現するように制動制御装置８に対する制動圧指令値Ｐ*及びエンジン出力制御装置９に対するスロットル開度指令値θ*を出力する車速制御部２５とを備えている。
【００１６】
また、少なくとも自車速Ｖ、及び全地球測位システム１６と道路地図データ格納部１７とから入力される自車位置情報の何れかに基づいて予備制動発生の要否を判断し、要予備制動発生状態であると判断されたときに車速制御部２５で演算された目標加減速度α*に応じたブレーキ予圧Ｐｐを設定し、このブレーキ予圧Ｐｐを発生するように制動制御装置８に対する制動圧指令値Ｐｐ*を出力する予備制動制御部２６を備えている。
【００１７】
この図２において、目標車速演算部２４及び車速制御部２５が車速制御手段に対応している。
ここで、相対速度演算部２１は、車間距離センサ１４から入力される車間距離Ｄを、例えばバンドパスフィルタ処理するバンドパスフィルタで構成されている。
このバンドパスフィルタは、その伝達関数が下記（１）式で表すことができ、分子にラプラス演算子ｓの微分項を有するので、実質的に車間距離Ｄを微分して相対速度ΔＶを近似的に演算することになる。
Ｆ（ｓ）＝ωｃ2ｓ／（ｓ2＋２ζｃωｓ＋ωｃ2）  ………（１）
但し、ωｃ＝２πｆｃ、ｓはラプラス演算子、ζｃは減衰係数である。
【００１８】
このように、バンドパスフィルタを使用することにより、車間距離Ｄの単位時間当たりの変化量から簡易的な微分演算を行って相対速度ΔＶを演算する場合のように、ノイズに弱く、追従制御中にふらつきが生じるなど、車両挙動に影響を与えやすいことを回避することができる。
なお、上記（１）式におけるカットオフ周波数ｆｃは、車間距離Ｄに含まれるノイズ成分の大きさと、短周期の車体前後の加速度変動の許容値とにより決定する。また、相対速度ΔＶの演算には、バンドパスフィルタを使用する場合に代えて、車間距離Ｄにハイパスフィルタ処理を行うハイパスフィルタで微分処理を行うようにしてもよい。
【００１９】
また、目標車間距離演算部２２は、自車速Ｖと自車両が現在の先行車両の後方Ｄ0［ｍ］の位置に到達するまでの時間Ｔ0（車間時間）とを用いて、下記（２）式に従って先行車と自車との間の目標車間距離Ｄ*を演算する。
Ｄ*＝Ｖ×Ｔ0＋Ｄｓ  ………（２）
この車間時間という概念を取り入れることにより、自車速Ｖが速くなるほど、車間距離が大きくなるように設定される。ここで、Ｄｓは停止時車間距離である。
なお、特開平１０−８１１５６号公報に開示されるように、自車速に代えて先行車両の車速を用いて目標車間距離Ｄ*を演算するようにしてもよい。
【００２０】
さらに、車間距離指令値演算部２３は、車間距離Ｄ、目標車間距離Ｄ*に基づいて、車間距離Ｄをその目標値Ｄ*に保ちながら追従走行するための車間距離指令値ＤTを演算する。具体的には、入力される目標車間距離Ｄ*に対して、車間距離制御系における応答特性を目標の応答特性とするために決定される減衰係数ζ及び固有振動数ωｎを用いた下記（３）式で表される規範モデルＧT（ｓ）に従った二次遅れ形式のローパスフィルタ処理を行うことにより、車間距離指令値ＤTを演算する。
ＧT（ｓ）＝ωｎ2／（ｓ2＋２ζωｎｓ＋ωｎ）  ………（３）
【００２１】
また、目標車速演算部２４は、入力される車間距離指令値ＤTに基づいてフィードバック補償器を使用して目標車速Ｖ*を演算する。具体的には、下記（４）式に示すように、自車速Ｖと相対速度ΔＶとから算出した先行車両車速Ｖｔ（＝Ｖ＋ΔＶ）から車間距離指令値ＤTと実際の車間距離Ｄとの偏差ΔＤ（＝ＤT−Ｄ）に距離制御ゲインｆｄを乗じた値と、相対速度ΔＶに車速制御ゲインｆｖを乗じた値との線形結合を減じることにより目標車速Ｖ*を演算する。
Ｖ*＝Ｖｔ−｛ｆｄ（ＤT−Ｄ）＋ｆｖ・ΔＶ｝  ………（４）
【００２２】
車速制御部２５では、車間距離Ｄに基づいて自車前方に先行車両が存在するか否かを判断し、先行車両が存在しないときには予め設定された設定車速ＶSETを選択目標車速Ｖｓ*として設定し、先行車両が存在するときには設定車速ＶSET又は入力される目標車速Ｖ*の小さい方を選択目標車速Ｖｓ*として設定する。
そして、設定された選択目標車速Ｖｓ*及び自車速Ｖをもとに、下記（５）式に従って目標加減速度α*を算出する。ここで、ｋは係数である。
α*＝ｋ・（Ｖｓ*−Ｖ）  ………（５）
【００２３】
このようにして算出された目標加減速度α*に車両質量Ｍを乗算して目標制駆動力ＦOR（＝α*・Ｍ）を算出し、当該目標制駆動力ＦORに基づいて制動圧指令値Ｐ*及びスロットル開度指令値θ*を算出する。そして、制動圧指令値Ｐ*を制動制御装置８に、スロットル開度指令値θ*をエンジン出力制御装置９に夫々出力する。
また、予備制動制御部２６では、図３に示す予備制動制御処理を実行して、制動制御装置８に対する制動圧指令値Ｐｐ*を出力する。
【００２４】
次に、走行制御用コントローラ２０の予備制動制御部２６で実行される予備制動制御処理を図３のフローチャートに従って説明する。
この予備制動制御処理は、所定時間（例えば１０ｍｓｅｃ）毎のタイマ割込処理として実行され、先ず、ステップＳ１で各種センサからの信号を読込む。具体的には、走行制御スイッチ１５のスイッチ信号ＳＳ、目標加減速度α*、自車速Ｖ、アクセルペダルストローク量ＳＴ、操舵角δを読込む。
【００２５】
次いでステップＳ２では、追従走行制御モード中か否かを判定する。この判定は、運転席近傍に配設された走行制御スイッチ１５のスイッチ信号ＳＳがオン状態であるか否かによって行い、走行制御スイッチ１５のスイッチ信号ＳＳがオン状態であるときには、追従走行制御モード中であると判断してステップＳ３に移行する。
一方、ステップＳ２の判定結果が、走行制御スイッチ１５のスイッチ信号ＳＳがオフ状態であり、追従走行制御モード中でないときには、タイマ割込処理を終了して所定のメインプログラムに復帰する。
【００２６】
次にステップＳ３では、前記ステップＳ１で読込んだ自車速Ｖが所定の車速閾値ＶTH以下であるか否かを判定し、Ｖ＞ＶTHであるときには後述するステップＳ６に移行し、Ｖ≦ＶTHであるときにはステップＳ４に移行する。
ここで、車速閾値ＶTHは、歩行者や自転車等が車の間をすり抜けて出てこない程度の車速（例えば、１０ｋｍ／ｈ程度）に設定する。即ち、Ｖ≦ＶTHであるときには自車両が低速走行しており、歩行者や自転車等が自車前方を横断する可能性があると判断することができる。
【００２７】
ステップＳ４では、追従走行制御による駆動力制御が行われているか否かを判定する。この判定は、前記ステップＳ１で読込んだ目標加減速度α*の符号に基づいて行い、α*＞０であるときには、自車両を加速するためのスロットル開度指令値θ*がエンジン出力制御装置９に対して出力されており、追従走行制御による駆動力制御中であって加速指令が出されていると判断してステップＳ５に移行する。
また、α*≦０であるときには、自車両を減速するための制動圧指令値Ｐ*が制動制御装置８に対して出力されており、追従走行制御による制動力制御中であって加速指令が出されていないと判断して後述するステップＳ８に移行する。
【００２８】
ステップＳ５では、自車両に発生させるブレーキ予圧Ｐｐを算出し、走行制御用コントローラ２０内のメモリに記憶する。ブレーキ予圧Ｐｐは図４に示すブレーキ予圧算出マップを参照し、目標加減速度α*をもとに算出する。また、図３に示すフローチャートの各サンプリング周期毎にブレーキ予圧が算出され、メモリに記憶された値が更新される。ここで、ブレーキ予圧算出マップは、横軸に目標加減速度α*、縦軸にブレーキ予圧Ｐｐをとっており、ブレーキ予圧Ｐｐは、目標加減速度α*が比較的小さい領域では一定の最小値Ｐｐmとなるように設定されている。そして、その後目標加減速度α*の増加に比例してブレーキ予圧Ｐｐも増加し、目標加減速度α*が比較的大きい領域では一定の最大値ＰｐMとなるように設定されている。ここで、最大値ＰｐMは乗員が減速度を感じることのない最大のブレーキ圧に設定する。
【００２９】
このように、目標加減速度α*の大きさに応じてブレーキ予圧Ｐｐを設定することにより、加減速度の違いによる空走距離の差を考慮に入れることができるので、例えば加速度が大きいときには、ブレーキ予圧Ｐｐを大きく設定してブレーキの応答性をより向上するなど、応答性の良いブレーキが要求される可能性が高い場面で適切に対応することができる。
【００３０】
次にステップＳ６に移行して、自車速Ｖが車速閾値ＶTHを超えているか、又は運転者によるアクセル操作を検出しているか否かを判定する。Ｖ＞ＶTHであるときには、歩行者や自転車等が自車前方を横断する可能性が極めて低いため、ブレーキ予圧Ｐｐを発生させる必要はないと判断することができる。
また、運転者によるアクセル操作を検出しているときには、運転者が意識的に加速を行っているので、ブレーキ予圧Ｐｐを発生させる必要はないと判断することができる。さらに、このとき運転者は少なくともアクセルペダルに足を置いている状態であり、歩行者等の飛び出しに遭遇した場合であっても比較的素早くブレーキ操作に移行することができるので、ブレーキ予圧Ｐｐを発生させる必要はないと判断することができる。
【００３１】
そして、Ｖ＞ＶTH又はアクセル操作を検出しているときにはステップＳ７に移行し、Ｖ≦ＶTH且つアクセル操作非検出であるときには後述するステップＳ９に移行する。
ステップＳ７では、運転者が急なアクセル操作を行っているか又は急な操舵操作を行っているか否かを判定する。ここで、急なアクセル操作が行われているか否かの判定は、アクセルペダルに備えられたストロークセンサ１８によって検出されたストローク量ＳＴに基づいて算出されるアクセル踏込み速度Ｖａをもとに行い、アクセル踏込み速度Ｖａが予め設定された踏込み速度閾値ＶａTHを超えているときに、急なアクセル操作が行われていると判断する。この踏込み速度閾値ＶａTHは、緊急時のブレーキ踏込み速度を実験的に求めることにより設定し、例えば、９０ｄｅｇ／ｓとする。
【００３２】
運転者による急なアクセル操作が行われているときには、自車前方の障害物との接触を回避するために急ブレーキを行いたかったにもかかわらず、誤ってアクセルペダルを踏んでしまった可能性があると判断して、ブレーキ予圧Ｐｐを発生し続ける必要があると判断する。
なお、ここでは踏込み速度閾値ＶａTHの値を一定とする場合について説明したが、これに限定されるものではなく、例えば、自車速Ｖに応じてその値を変更するようにしてもよい。
【００３３】
また、同様に、急な操舵操作を行っているか否かの判定は、操舵角センサ１９によって検出された操舵角δをもとに行い、例えば、操舵角δの変化を時間微分することによって求められる操舵角速度が予め設定された操舵角閾値δTHを超えているときに、急な操舵操作が行われていると判断する。ここで、この操舵角閾値δTHは、緊急時の操舵角変化量を実験的に求めることにより設定することができる。
【００３４】
なお、操舵角センサ１９の代わりに操舵トルクを検出するトルクセンサを設け、トルクセンサ検出値の時間微分によって操舵角速度を検出しても良い。
運転者による急な操舵操作が行われているときには、自車前方の障害物を回避するために急操舵を行っており、緊急制動の可能性があると判断して、ブレーキ予圧Ｐｐを発生し続ける必要があると判断する。
そして、ステップＳ８では、ブレーキ予圧Ｐｐを零（０）に設定する。これにより実質的にブレーキ予圧の発生状態を解除することができる。
次いでステップＳ９に移行して、前記ステップＳ５又はステップＳ８で設定されたブレーキ予圧Ｐｐを発生するための制動圧指令値Ｐｐ*を算出すると共に、この制動圧指令値Ｐｐ*を制動制御装置８に出力し、タイマ割込み処理を終了して所定のメインプログラムに復帰する。
【００３５】
したがって、今、自車両が走行制御スイッチ１５をオフ状態として走行しているものとする。この場合には、追従走行制御処理が非制御状態であるため、図３の予備制動制御処理において、ステップＳ２の判定により予備制動制御処理を終了し、運転者のアクセル及びブレーキ操作に応じた通常通りの走行を継続する。
この通常走行状態から、走行制御スイッチ１５をオン状態とすると、追従走行制御処理が開始され、先行車両を検出すると、先行車両との車間距離Ｄが目標車間距離Ｄ*となるように目標車速Ｖ*を設定して自車速Ｖを制御する制動圧指令値Ｐ*及び目標スロットル開度θ*が制動制御装置８及びエンジン出力制御装置９に出力されて追従走行制御に移行する。
【００３６】
このとき、自車両が先行車両に追従して加速して、自車速Ｖが所定の速度閾値ＶTHを超えた場合、図３のステップＳ３からステップＳ６に移行し、Ｖ＞ＶTHであるのでステップＳ７に移行する。運転者によるアクセル操作及びステアリング操作が行われていないものとすると、アクセル操作及び操舵操作は共に緊急性を要しておらず通常操作であると判断されるので、ステップＳ７の判定によりステップＳ８に移行してブレーキ予圧Ｐｐを零に設定する。これによりブレーキ予圧Ｐｐを発生することなく、車間距離Ｄに応じた追従走行制御が継続される。
【００３７】
また、自車両が先行車両に追従して速度閾値ＶTH以下の低速度で走行中であり、先行車両の加速に応じて自車両も加速しようとしているものとする。この場合には、Ｖ≦ＶTHであるのでステップＳ３からステップＳ４に移行し、自車両には加速指令が出されているためステップＳ４からステップＳ５に移行して、図４に示すブレーキ予圧算出マップを参照し目標加減速度α*に応じたブレーキ予圧Ｐｐを算出する。運転者によるアクセル操作が行われていないものとすると、ステップＳ６からステップＳ９に移行して前記ステップＳ５で算出されたブレーキ予圧Ｐｐを発生するための制動圧指令値Ｐｐ*が制動制御装置８に対して出力される。これにより、乗員に減速度を感じさせない程度のブレーキ圧が発生され、ブレーキの応答性が向上される。
【００３８】
このように、自車両が低速走行中に追従走行制御の駆動力制御によって加速される場合には、ブレーキ予圧を発生させてブレーキの応答性を向上するので、歩行者や自転車等が道路横断のために自車両と先行車両との間をすり抜ける場合や、急に飛び出す場合に安定した車両挙動を実現することができる。
その後、自車両が先行車両に追従して加速していき、自車速Ｖが速度閾値ＶTHを超えると、ステップＳ３からステップＳ６に移行する。Ｖ＞ＶTHであるのでステップＳ６の判定によりステップＳ７に移行し、このとき運転者によるアクセル及びステアリング操作が行われていないものとすると、ステップＳ８に移行してブレーキ予圧Ｐｐが零に設定される。そして、ブレーキ予圧Ｐｐを零、即ちブレーキ予圧発生状態を解除するための制動圧指令値Ｐｐ*が制動制御装置８に対して出力され、ブレーキ予圧Ｐｐを発生することなく通常の追従走行制御に移行する。
【００３９】
一方、自車両が先行車両に追従して加速していき、自車速Ｖが速度閾値ＶTHを超えた状態で、運転者による急操舵が行われたものとする。この場合には、ステップＳ７でＮｏと判定されてステップＳ９に移行する。そして、前回のサンプリング処理で算出されたブレーキ予圧Ｐｐを発生するための制動圧指令値Ｐｐ*が制動制御装置８に対して出力することにより、ブレーキ予圧発生状態を継続する。このとき、前回のサンプリング処理で算出されたブレーキ予圧Ｐｐがメモリに記憶されていないときは、例えば図４に示す最大のブレーキ予圧ＰｐMが与えられる。
【００４０】
このように、自車速Ｖが速度閾値ＶTHを超えている場合であっても、運転者による急操舵が行われている場合には、自車前方の障害物を回避している状態であり急制動を行う可能性があると判断して、ブレーキ予圧Ｐｐを発生し続けるので、応答性の良いブレーキを要求される場面で適切に対応することができる。
また、自車両が速度閾値ＶTH以下の低速度で追従走行中であり、且つブレーキ予圧発生状態であるものとする。このとき運転者によるアクセル操作が行われたものとすると、ステップＳ５で目標加減速度α*に応じたブレーキ予圧Ｐｐが算出され、次いでステップＳ６の判定によりステップＳ７に移行する。
【００４１】
運転者によるアクセル操作が通常操作である場合には、ステップＳ７の判定によりステップＳ８に移行してブレーキ予圧Ｐｐが零に設定される。そして、ブレーキ予圧Ｐｐを零、即ちブレーキ予圧発生状態を解除するための制動圧指令値Ｐｐ*が制動制御装置８に対して出力され、ブレーキ予圧Ｐｐを発生することなく運転者によるアクセル操作に応じた走行に移行する。
【００４２】
一方、自車両が速度閾値ＶTH以下の低速度で追従走行中、且つブレーキ予圧発生状態であって、運転者による急なアクセル操作が行われたものとする。この場合には、ステップＳ５で目標加減速度α*に応じたブレーキ予圧Ｐｐが算出され、次いでステップＳ６の判定によりステップＳ７に移行する。そして、ステップＳ７でＮｏと判定されてステップＳ９に移行し、前記ステップＳ５で算出されたブレーキ予圧Ｐｐを発生するための制動圧指令値Ｐｐ*が制動制御装置８に対して出力することにより、ブレーキ予圧発生状態を継続する。
【００４３】
このように、ブレーキ予圧発生状態において、運転者による通常アクセル操作を検出した場合にはブレーキ予圧発生状態を解除するが、急アクセル操作を検出した場合には、アクセルペダルとブレーキペダルとの踏み間違いを考慮してブレーキ予圧発生状態を継続するので、運転者による通常アクセル操作が行われているときには、運転者の加速意思に合致した車両挙動を実現することができると共に、急アクセル操作が行われているときには応答のよいブレーキが要求される場面で適切に対応することができる。
【００４４】
したがって、上記第１の実施形態では、追従走行中に自車両が駆動力制御されるとき、減速度を感じない程度のブレーキ予圧を発生するので、歩行者等の飛び出しに対して応答のよいブレーキが要求される場合に、適切に対応することができ、安定した車両挙動を実現することができる。
また、自車速が車速閾値以下であるときに自車両が駆動力制御されるとき、ブレーキ予圧を発生するので、自車両が停止又は低速走行しているために歩行者等が道路を横断しようとして自車両と先行車両との間をすり抜けて出てくる場合など、応答のよいブレーキが要求される場合に、適切に対応することができ、安定した車両挙動を実現することができる。
【００４５】
さらに、自車速が車速閾値を越えたときには、ブレーキ予圧を零に設定してブレーキ予圧発生状態を解除するので、自車速が、歩行者等が車間をすり抜けて出てこない程度の車速に達したと判断することができ、緊急制動の可能性に応じた適切なブレーキ予圧発生制御を行うことができる。
また、ブレーキ予圧発生状態であるときに運転者によるアクセル操作を検出した場合には、ブレーキ予圧を零に設定して当該ブレーキ予圧発生状態を解除するので、運転者の意図する加速状態に直ちに移行することができ、運転者の意思に合致した車両挙動を実現することができる。
【００４６】
さらにまた、ブレーキ予圧発生状態であるときに運転者による急なアクセル操作を検出した場合には、当該ブレーキ予圧発生状態を解除せずに維持するので、例えば、運転者が自車前方の障害物との接触を回避しようとして急ブレーキをしたかったにもかかわらず、誤ってアクセルペダルを踏んでしまった場合などを考慮して、応答性の良いブレーキが要求される場面で適切に対応することができる。
【００４７】
また、ブレーキ予圧発生状態であるときに運転者による急なステアリング操作を検出した場合には、当該ブレーキ予圧発生状態を解除せずに維持するので、例えば、自車前方に歩行者等が出現したことにより、これを回避しようとして急操舵をする場合などを想定し、緊急制動の可能性を考慮して応答性の良いブレーキが要求される場面で適切に対応することができる。
【００４８】
さらに、目標加減速度が大きいほどブレーキ予圧を大きく算出するので、加速度の違いによる空走距離の差を考慮に入れることができ、応答性の良いブレーキが要求される可能性に応じて適切なブレーキ予圧を発生させることができる。
なお、上記第１の実施形態においては、目標加減速度をもとに図４に示すブレーキ予圧算出マップを参照してブレーキ予圧を算出する場合について説明したが、これに限定されるものではなく、先行車両との車間距離Ｄや先行車両の速度Ｖｔをもとにブレーキ予圧Ｐｐを算出するようにしてもよい。
【００４９】
車間距離Ｄをもとにブレーキ予圧Ｐｐを算出する場合には、図５に示すブレーキ予圧算出マップを参照する。このブレーキ予圧算出マップは、横軸に車間距離Ｄ、縦軸にブレーキ予圧Ｐｐをとっており、ブレーキ予圧Ｐｐは、車間距離Ｄが比較的小さい領域では一定の最大値ＰｐMとなるように設定されている。そして、その後車間距離Ｄの増加に伴ってブレーキ予圧Ｐｐが減少し、車間距離Ｄが比較的大きい領域では一定の最小値Ｐｐmとなるように設定されている。
【００５０】
また、先行車速Ｖｔをもとにブレーキ予圧Ｐｐを算出する場合には、図６に示すブレーキ予圧算出マップを参照する。このブレーキ予圧算出マップは、横軸に先行車速Ｖｔ、縦軸にブレーキ予圧Ｐｐをとっており、ブレーキ予圧Ｐｐは、先行車速Ｖｔが比較的小さい領域では一定の最小値Ｐｐmとなるように設定されている。そして、その後先行車速Ｖｔの増加に伴ってブレーキ予圧Ｐｐも増加し、先行車速Ｖｔが比較的大きい領域では一定の最大値ＰｐMとなるように設定されている。
【００５１】
このように、先行車両との車間距離が小さいほどブレーキ予圧を大きく算出するので、車間距離の違いによる空走距離の差を考慮に入れることができ、応答性の良いブレーキが要求される可能性に応じて適切なブレーキ予圧を発生させることができる。
また、先行車両の速度が大きいほどブレーキ予圧を大きく算出するので、先行車速の違いによる空走距離の差を考慮に入れることができ、応答性の良いブレーキが要求される可能性に応じて適切なブレーキ予圧を発生させることができる。
【００５２】
さらに、上記第１の実施形態においては、図３のステップＳ５におけるブレーキ予圧の算出処理で、図４〜図６に示すブレーキ予圧算出マップを参照して夫々算出されたブレーキ予圧のセレクトハイ（大きい値の選択）を行って最終的なブレーキ予圧を設定するようにしてもよい。
即ち、目標加減速度α*に応じて算出されるブレーキ予圧をＰｐa、車間距離Ｄに応じて算出されるブレーキ予圧をＰｐD、先行車速Ｖｔに応じて算出されるブレーキ予圧をＰｐVrとすると、下記（６）式をもとに自車両に発生するブレーキ予圧Ｐｐを算出すればよい。
Ｐｐ＝ｍａｘ（Ｐｐa，ＰｐD，ＰｐVr）  ………（６）
ここで、ｍａｘ（  ）は、括弧内の値に対してセレクトハイを行う関数である。
【００５３】
また、上記第１の実施形態においては、運転者による急なアクセル操作を検出したとき、又は運転者による急な操舵操作を検出したとき、ブレーキ予圧発生状態を単に維持する場合について説明したが、これに限定されるものではなく、ブレーキ予圧を増加補正するようにしてもよい。これにより、加速を鈍らせることができ、緊急制動に対するブレーキの応答性をより向上させることができる。
【００５４】
次に、本発明の第２の実施形態について説明する。
この第２の実施形態は、自車両が交差点及び交差点近傍の所定範囲を走行しており、且つ追従走行制御によって自車両が加速制御されているとき、ブレーキ予圧を発生させるようにしたものである。
図７は、第２の実施形態における追従制御用コントローラ２０の予備制動制御部で実行される予備制動制御処理を示すフローチャートであって、前述した第１の実施形態における図３の予備制動制御処理において、ステップＳ３の処理が、自車両が交差点及び交差点近傍の所定範囲内を走行しているか否かを判定するステップＳ２１に置換され、ステップＳ６の処理が、自車両が交差点及び交差点近傍の所定範囲を通過するか、又は運転者によるアクセル操作を検出しているか否かを判定するステップＳ２２に置換されていることを除いては図３と同様の処理を行い、図３との対応部分には同一符号を付し、その詳細な説明は省略する。
【００５５】
すなわち、前記ステップＳ２でＹｅｓと判定されたときには、ステップＳ２１に移行して、自車両が交差点及び交差点近傍の所定範囲内を走行中であるか否かを判定する。この判定は、カーナビゲーションシステムによって行い、全地球測位システム１６から入力される自車走行地点データを読込み、次いで自車走行地点データをもとに道路地図データ格納部１７をアクセスして、自車両の現在走行地点が交差点及び交差点近傍の所定範囲内であるか否かを判定する。
【００５６】
ここで所定範囲は、図８の斜線部で示され、交差点における角Ｃ１〜Ｃ４を夫々結んで形成される範囲に、所定距離Ｌ分を加えたものとする。また所定距離Ｌは、例えば車両１台分の前後方向長さとする。なお、この所定距離Ｌは、交差点の大きさや自車速Ｖに応じて変更するようにしてもよい。
そして、前記ステップＳ２１の判定結果が、自車両が前記所定範囲内を走行中であると判断されたときには前記ステップＳ４に移行し、前記所定範囲外を走行中であると判断されたときにはステップＳ２２に移行する。
【００５７】
ステップＳ２２では、自車両が交差点及び交差点近傍の所定範囲を通過したか、又は運転者によるアクセル操作を検出しているか否かを判定する。自車両が交差点及び交差点近傍の所定範囲内を走行しているときには、歩行者や自転車の飛び出しはもちろん、自車両が直進走行しているときの対向右折車（又は自車両が右折しているときの対向直進車）の飛び出しに遭遇する可能性があるため、ブレーキ予圧Ｐｐを発生させる必要があると判断する。一方、自車両が前記所定範囲外を走行しているときには、対向車両等の飛び出しに遭遇する可能性が極めて低いため、ブレーキ予圧Ｐｐを発生させる必要はないと判断する。
【００５８】
この図７の処理において、ステップＳ２１の処理が交差点検出手段に対応している。
したがって、今、自車両が交差点手前の所定範囲外を先行車両に追従して走行中であるものとする。この場合には、図７のステップＳ２１の判定によりステップＳ２２を経てステップＳ７に移行する。運転者によるアクセル操作及びステアリング操作が行われていないものとすると、アクセル操作及び操舵操作は共に緊急性を要しておらず通常操作であると判断されるので、ステップＳ７の判定によりステップＳ８に移行してブレーキ予圧Ｐｐを零に設定する。これによりブレーキ予圧Ｐｐを発生することなく、車間距離Ｄに応じた追従走行制御が継続される。
【００５９】
その後、自車両が交差点及び交差点近傍の所定範囲内に進入し、直進走行しながら先行車両に追従して加速しようとしているものとすると、ステップＳ２１からステップＳ４を経てステップＳ５に移行し、図４に示すブレーキ予圧算出マップを参照し目標加減速度α*に応じたブレーキ予圧Ｐｐを算出する。運転者によるアクセル操作が行われていないものとすると、ステップＳ２２からステップＳ９に移行して前記ステップＳ５で算出されたブレーキ予圧Ｐｐを発生するための制動圧指令値Ｐｐ*が制動制御装置８に対して出力される。これにより、乗員に減速度を感じさせない程度のブレーキ圧が発生され、ブレーキの応答性が向上される。
【００６０】
このように、自車両が交差点及び交差点近傍の所定範囲内を走行しており、且つ先行車両に追従して加速するときに予備制動Ｐｐを発生してブレーキの応答性を向上するので、例えば、自車両が交差点を直進走行しているときの対向右折車の飛び出しなどに対して、安定した車両挙動を実現することができる。
その後、自車両が交差点及び交差点近傍の所定範囲を通過すると、ステップＳ２１からステップＳ２２を経てステップＳ７に移行する。運転者による急なアクセル操作及び急なステアリング操作が行われていないものとすると、ステップＳ７の判定によりステップＳ８に移行してブレーキ予圧Ｐｐを零に設定する。これによりブレーキ予圧発生状態が解除され、通常の追従走行制御に復帰する。
【００６１】
このように、上記第２の実施形態では、自車両が交差点及び交差点近傍の所定範囲内を走行しているときに自車両が駆動力制御されるとき、ブレーキ予圧を発生するので、直進走行時に対向右折車が飛び出す場合や、右折時に対向直進車が飛び出す場合など、応答のよいブレーキが要求される場合に、適切に対応することができ、安定した車両挙動を実現することができる。
【００６２】
さらに、自車両が交差点及び交差点近傍の所定範囲を通過したときには、ブレーキ予圧を零に設定してブレーキ予圧発生状態を解除するので、交差点における対向車両の飛び出しを懸念する必要はないと判断することができ、緊急制動の可能性に応じた適切なブレーキ発生制御を行うことができる。
なお、上記第２の実施形態においては、目標加減速度をもとにブレーキ予圧を算出する場合について説明したが、これに限定されるものではなく、交差点の大きさをもとにブレーキ予圧Ｐｐを算出するようにしてもよい。この場合、ナビゲーションシステムによって車線数等を検出することにより交差点の大きさを判断し、交差点の大きさが大きいほどブレーキ予圧Ｐｐを大きく設定するようにする。これにより、応答のよいブレーキが要求される可能性が高い場合に適切に対応することができる。
【００６３】
また、上記各実施形態においては、目標加減速度をもとにブレーキ予圧を算出する場合について説明したが、これに限定されるものではなく、走行道路の明るさをもとにブレーキ予圧Ｐｐを算出するようにしてもよい。この場合、例えばライトのＯＮ／ＯＦＦ信号を取得して、ライトがＯＮ状態であるときには走行道路が暗く、ライトがＯＦＦ状態であるときには走行道路が明るいと判断したり、ＣＣＤカメラ等の外界認識センサを設置して、この撮像画像から明るさを判断したりすればよい。そして、走行道路の明るさが暗いほどブレーキ予圧Ｐｐを大きく設定することにより、応答のよいブレーキが要求される可能性が高い場合に適切に対応することができる。
【００６４】
さらに、上記各実施形態においては、ブレーキ予圧発生の要否を判断する際に、図３におけるステップＳ３の自車速判断と図７におけるステップＳ２１の交差点走行判断とを個々に行う場合について説明したが、これに限定されるものではなく、これらの判断を同時に行い、自車速が所定の車速閾値以下であるか、又は自車両が交差点及び交差点近傍の所定範囲を走行中であるときに要ブレーキ予圧発生状態であると判断するようにしてもよい。
【図面の簡単な説明】
【００６５】
【図１】本発明の実施形態を示す概略構成図である。
【図２】図１の走行制御用コントローラの具体例を示すブロック図である。
【図３】図１の走行制御用コントローラの予備制動制御部で実行される予備制動制御処理を示すフローチャートである。
【図４】目標加減速度に基づくブレーキ予圧算出マップである。
【図５】車間距離に基づくブレーキ予圧算出マップである。
【図６】先行車速に基づくブレーキ予圧算出マップである。
【図７】第２の実施形態における予備制動制御部で実行される予備制動制御処理を示すフローチャートである。
【図８】交差点及び交差点近傍の所定範囲を説明する図である。
【符号の説明】
【００６６】
１ＦＬ〜１ＲＲ  車輪
２  エンジン
３  自動変速機
７  ディスクブレーキ
８  制動制御装置
９  エンジン出力制御装置
１３  車速センサ
１４  車間距離センサ
１５  走行制御スイッチ
１６  全地球測位システム
１７  道路地図データ格納部
１８  ストロークセンサ
１９  操舵角センサ
２０  走行制御用コントローラ
２５  車速制御部
２６  予備制動制御部
【図１】
2006044554.tif 000003
【図２】
2006044554.tif 000004
【図３】
2006044554.tif 000005
【図４】
2006044554.tif 000006
【図５】
2006044554.tif 000007
【図６】
2006044554.tif 000008
【図７】
2006044554.tif 000009
【図８】
2006044554.tif 000010